(57)【要約】【課題】本発明は、省電力モードにおけるリンギングの有無を、省電力効果を向上させた状態で、正確に判定する。【解決手段】ファクシミリ装置１は、公衆回線Ｌｐからのリンギングを検出して、ファクシミリ通信を行うファクシミリ制御部１０への電源電力Ｖｂの供給と供給遮断を、スイッチ２２が行い、スイッチ２２によってファクシミリ制御部１０への電源電力Ｖｂの供給が遮断されているときには、リンギング検出回路１５が、公衆回線Ｌｐの電圧変動に応じて論理が変化する検出信号Ｓｒを回線電圧変動検査回路２３へ出力する。回線電圧変動検査回路２３は、この検出信号Ｓｒの論理変化に基づいて公衆回線Ｌｐの電圧変動がリンギング信号であるか否かを判定し、リンギング信号であると判定すると、スイッチ２２にファクシミリ制御部１５への電源電力Ｖｂの供給を再開させる。【選択図】          図１
2015119379.tif 000002
【特許請求の範囲】
【請求項１】
回線からのリンギングを検出して、ファクシミリ通信を行うファクシミリ通信手段と、
前記ファクシミリ通信手段への電源電力の供給と供給遮断を行う電力制御手段と、
前記電力制御手段によって前記ファクシミリ通信手段への電源電力の供給が遮断されているときに、前記回線の電圧変動に応じて論理が変化する検出信号を出力する電圧変動検出手段と、
前記検出信号の論理変化に基づいて前記回線の電圧変動がリンギング信号であるか否かを判定し、リンギング信号であると判定すると、前記電力制御手段に前記ファクシミリ通信手段への電源電力の供給を再開させる判定手段と、
を備えていることを特徴とするファクシミリ受信制御装置。
【請求項２】
前記判定手段は、
クロック信号を発生するクロック信号発生手段と、
前記クロック信号に基づいて前記検出信号の論理状態を検出して、前記回線の電圧変動がリンギング信号であるか否かを判定し、前記電力制御手段の動作を制御する論理判定手段と、
を備えていることを特徴とする請求項１記載のファクシミリ受信制御装置。
【請求項３】
前記論理判定手段は、
前記クロック信号の立ち上がりで前記検出信号の論理状態を検出して、前記回線の電圧変動がリンギング信号であるか否かを判定するフリップフロップ回路を備えていることを特徴とする請求項２記載のファクシミリ受信制御装置。
【請求項４】
前記ファクシミリ受信制御装置は、
発信周波数を指定する周波数指定信号を出力する周波数設定手段を、さらに備え、
前記クロック信号発生手段は、
前記周波数指定信号に応じた発振周波数の前記クロック信号を発生することを特徴とする請求項２記載のファクシミリ受信制御装置。
【請求項５】
前記ファクシミリ受信制御装置は、
前記周波数を設定操作する操作手段を、さらに備え、
前記周波数設定手段は、
前記操作手段で設定操作された前記周波数を発振周波数として指定する前記周波数指定信号を出力することを特徴とする請求項４記載のファクシミリ受信制御装置。
【請求項６】
前記ファクシミ受信制御装置は、
前記回線に、前記ファクシミリ通信手段に対して並列に接続されている電話機のオフフックの有無を検出するオフフック検出手段と、
前記電力制御手段によって前記ファクシミリ通信手段への電源電力が供給されている状態で、前記オフフック検出手段が前記オフフックを検出すると、該電力制御手段に該ファクシミリ通信手段への該電源電力の供給を遮断させるオフフック制御手段と、
を備えていることを特徴とする請求項１から請求項５のいずれかに記載のファクシミリ受信制御装置。
【請求項７】
回線に接続され該回線を通してファクシミリ通信を行うファクシミリ受信制御部を備えたファクシミリ装置において、
前記ファクシミリ受信制御部として、請求項１から請求項６のいずれかに記載のファクシミリ受信制御装置を備えていることを特徴とするファクシミリ装置。
【請求項８】
回線からのリンギングを検出して、ファクシミリ通信を行うファクシミリ通信処理ステップと、
前記ファクシミリ通信処理ステップへの電源電力の供給と供給遮断を行う電力制御処理ステップと、
前記電力制御処理ステップによって前記ファクシミリ通信処理ステップへの電源電力の供給が遮断されているときに、前記回線の電圧変動に応じて論理が変化する検出信号を出力する電圧変動検出処理ステップと、
前記検出信号の論理変化に基づいて前記回線の電圧変動がリンギング信号であるか否かを判定し、リンギング信号であると判定すると、前記電力制御処理ステップに前記ファクシミリ通信処理ステップへの電源電力の供給を再開させる判定処理ステップと、
を有していることを特徴とするファクシミリ受信制御方法。
【請求項９】
制御プロセッサに、
回線からのリンギングを検出して、ファクシミリ通信を行うファクシミリ通信処理と、
前記ファクシミリ通信処理への電源電力の供給と供給遮断を行う電力制御処理と、
前記電力制御処理によって前記ファクシミリ通信処理への電源電力の供給が遮断されているときに、前記回線の電圧変動に応じて論理が変化する検出信号を出力する電圧変動検出処理と、
前記検出信号の論理変化に基づいて前記回線の電圧変動がリンギング信号であるか否かを判定し、リンギング信号であると判定すると、前記電力制御処理に前記ファクシミリ通信処理への電源電力の供給を再開させる判定処理と、
を実行させることを特徴とするファクシミリ受信制御プログラム。
【発明の詳細な説明】
【技術分野】
【０００１】
本発明は、ファクシミリ受信制御装置、ファクシミリ装置、ファクシミリ受信制御方法及びファクシミリ受信制御プログラムに関し、詳細には、省電力効果を向上させたファクシミリ受信制御装置、ファクシミリ装置、ファクシミリ受信制御方法及びファクシミリ受信制御プログラムに関する。
【背景技術】
【０００２】
ファクシミリ装置は、省電力が要望され、待機状態が所定時間経過すると、主要各部への電源電力の供給を停止したり、削減する省電力モードを備えている。
【０００３】
そして、従来、省エネルギーモード（省電力モード）時に電力供給が停止される主制御部と、前記主制御部に対する電力供給のオンオフを切り替える第１切替部と、公衆回線から入力される入力信号を検出すると前記第１切替部をオンにするスイッチ制御信号を出力する検出回路と、を備えたファクシミリ制御装置及び前記検出回路が、前記入力信号としてリンギング信号を検出すると前記第１切替部をオンにするスイッチ制御信号を出力するファクシミリ制御装置が提案されている（特許文献１参照）。
【０００４】
すなわち、図１６に示すように、従来のファクシミリ装置１００は、一般的に、ファクシミリ制御部１１０、コントロール部１２０及び図示しないスキャナ部、プリンタ部、操作表示部等を備えている。ファクシミリ制御部１１０は、電話回線Ｉ／Ｆ（インターフェイス）１１１、ＳｉＤＡＡ（シリコンData Access Arrangement）１１２、トランス１１３、モデム１１４及びリンギング検出回路１１５等を備えており、コントロール部１２０は、ＣＰＵ（Central Processing Unit ）１２１及びスイッチ１２２等を備えている。
【０００５】
電話回線Ｉ／Ｆ１１１は、モジュラージャック等が用いられており、ＰＳＴＮ（Public Switched Telephone Network：一般公衆電話網）等の公衆回線Ｌｐに接続されているモジュラーケーブル１３０が接続されている。また、電話回線Ｉ／Ｆ１１１は、ＳｉＤＡＡ１１２及びリンギング検出回路１１３に接続されている。
【０００６】
ＳｉＤＡＡ１１２は、主に、ＡＤ／ＤＡ変換、オフフック制御及びリンギング検出を行い、トランス１１３は、１次側回路と２次側回路を架橋しており、モデム１１４とＳｉＤＡＡ１１２との間における信号のやりとり及び電力供給を行っている。
【０００７】
モデム１１４は、コントロール部１２０のＣＰＵ１２１からデジタル画像情報、各種プロトコル信号を変調して、トランス１１３を介してＳｉＤＡＡ１１２に渡す。ＳｉＤＡＡ１１２は、トランス１１３を介して渡されたデジタル画像情報等をアナログ変換した後、電話回線Ｉ／Ｆ１１１、モジュラーケーブル１３０を介して公衆回線Ｌｐへ送信する。また、ＳｉＤＡＡ１１２は、公衆回線Ｌｐからのリンギング信号を検出すると、オフフックして、相手ファクシミリ装置から送信されてきて電話回線Ｉ／Ｆ１１１が受信した、変調されているアナログ画像情報をデジタル画像情報に変換し、トランス１１３を介してモデム１１４へ渡す。モデム１１４は、渡された変調されたアナログ画像情報を、復調して、ＣＰＵ１２１に渡す。
【０００８】
ＣＰＵ１２１は、モデム１１４から受け取ったデジタル画像情報に基づいて、図示しないプリンタ部の駆動を制御して、用紙等の被記録媒体（以下、単に、用紙という。）に画像を形成出力する。
【０００９】
ＣＰＵ１２１は、省電力モードを備えており、予め設定されている所定の待ち時間が経過すると、各部への電源電力の供給停止や供給量削減を行う。特に、ＣＰＵ１２１は、スイッチ１２２のオン／オフを制御して、電源電力Ｖａの電源電力Ｖｂとしての、モデム１１４への供給／供給停止を行う。すなわち、スイッチ１２２は、ＣＰＵ１２１の制御下で、オン／オフ動作して、ファクシミリ装置１００の図示しない電源部から供給される電源電力Ｖａを電源電力Ｖｂとしての供給／供給停止を行う。ファクシミリ装置１００は、省電力モードでは、ＣＰＵ１２１の電力状態削減された省電力モードとなっており、ＣＰＵ１２１が、スイッチ１２２をオフすることで、モデム１１４及びＳｉＤＡＡ１１２への電源電力Ｖｂの供給が停止された状態となっている。
【００１０】
リンギング検出回路１１５は、省電力モード時に、モデム１１４及びＳｉＤＡＡ１１２への電力供給が停止されているときに、電話回線Ｉ／Ｆ１１１を介して公衆回線Ｌｐから電圧変動を検出して、リンギングの有無を判定する。
【００１１】
すなわち、リンギング検出回路１１５は、図１７（ａ）に示すような回線電圧の変化を検出して、回線電圧が予め設定されている設定範囲の電圧を超えると、図１７（ｂ）に示すように、ＣＰＵ１２１に出力しているＨｉｇｈ検出信号をＬｏｗに切り替える。なお、図１７（ａ）においては、回線電圧は、直流分をカットして、交流分のみが記載されている。具体的には、リンギング検出回路１１５は、回線電圧が設定電圧を超えた高電圧になるか、回線電圧が設定電圧を下回った低電圧になると、検出信号をＨｉｇｈからＬｏｗに切り替え、回線電圧が、設定電圧の範囲内に戻ると、検出信号をＬｏｗからＨｉｇｈに切り替える。
【００１２】
したがって、リンギング検出１１５は、落雷等によって公衆回線Ｌｐ等にノイズが発生して、図１８（ａ）に示すように、ノイズによって公衆回線Ｌｐの回線電圧が設定電圧を超えると、図１８（ｂ）に示すように、検出信号がＨｉｇｈからＬｏｗに変化する。そして、ＣＰＵ１２１は、リンギング検出回路１１５からの検出信号がＨｉｇｈからＬｏｗに切り替わって所定時間Ｌｏｗが継続すると、オフ状態となっているスイッチ１２２へオン信号を出力し、スイッチ１２２をオンに切り替えて、モデム１１４へ電源電力Ｖｂの供給を開始する。モデム１１４は、電源電力Ｖｂが供給されると、トランス１１３を介してＳｉＤＡＡ１１２に電源電力を供給して、ＳｉＤＡＡ１１２が、正規のリンギング信号の検出を行う。
【００１３】
すなわち、従来のファクシミリ装置１００は、リンギング検出回路１１５がリンギングを検出すると、省電力モードから復帰して、ＳｉＤＡＡ１１２が、正規のリンギング信号であるか否かを判定し、正規のリンギング信号であると、モデム１１４が、着信を開始する。
【００１４】
すなわち、従来のファクシミリ装置１００は、図１９に示すように、省電力モードにおいて、ＣＰＵ１２１が、リンギング検出回路１１５からの検出信号（出力）が所定時間、例えば、２ｍｓ間以上Ｌｏｗになったかチェックする（ステップＳ１００１）。ＣＰＵ１２１は、検出信号が２ｍｓ以上Ｌｏｗが継続すると、省電力モードから復帰して（ステップＳ１００２）、スイッチ１２２をオンし（ステップＳ１００３）、モデム１１４及びＳｉＤＡＡ１１２へ電源電力Ｖｂを供給してオンする（ステップＳ１００４、Ｓ１００５）。ＣＰＵ１２１は、ＳｉＤＡＡ１１２に、公衆回線Ｌｐの電圧変動を検出して、リンギング検出回路１１５の検出したリンギングが正規のリンギング信号であるか判定させる（ステップＳ１００６）。ステップＳ１００６で、正規のリンギング信号であると、ＣＰＵ１２１は、モデム１１４に着信を開始させ、通常のファクシミリ受信を行って、処理を終了する（ステップＳ１００７）。ところが、ステップＳ１００６で、正規のリンギング信号でないときには、ＣＰＵ１２１は、スイッチ１２２をオフにし（ステップＳ１００８）、省電力モードに移行して、処理を終了する（ステップＳ１００９）。
【００１５】
すなわち、従来の省電力モードを備えたファクシミリ装置１００は、省電力モードにおいて、リンギング検出回路１１５の検出信号がＬｏｗである状態が２ms以上継続すると、ＣＰＵ１２１が、リンギングであるとして、省電力モードから復帰する。そして、ファクシミリ装置１００は、電圧変動が正規のリンギングでないと判断すると、再度省電力モードに移行する。
【発明の概要】
【発明が解決しようとする課題】
【００１６】
しかしながら、上記従来技術にあっては、所定の回線電圧の変動が発生すると、省電力モードから復帰して、正規のリンギング信号であるか否か判定し、正規のリンギング信号でないときには、再度省電力モードへ移行する。したがって、公衆回線におけるノイズ発生状況によっては、頻繁に省電力モードからの復帰と省電力モードへの移行が発生し、省電力効果を向上させる上で、改良の必要があった。
【００１７】
そこで、本発明は、省電力モードにおけるリンギングの有無を、省電力効果を向上させた状態で、正確に判定することを目的としている。
【課題を解決するための手段】
【００１８】
上記目的を達成するために、請求項１記載のファクシミリ受信制御装置は、回線からのリンギングを検出して、ファクシミリ通信を行うファクシミリ通信手段と、前記ファクシミリ通信手段への電源電力の供給と供給遮断を行う電力制御手段と、前記電力制御手段によって前記ファクシミリ通信手段への電源電力の供給が遮断されているときに、前記回線の電圧変動に応じて論理が変化する検出信号を出力する電圧変動検出手段と、前記検出信号の論理変化に基づいて前記回線の電圧変動がリンギング信号であるか否かを判定し、リンギング信号であると判定すると、前記電力制御手段に前記ファクシミリ通信手段への電源電力の供給を再開させる判定手段と、を備えていることを特徴としている。
【発明の効果】
【００１９】
本発明によれば、省電力モードにおけるリンギングの有無を、省電力効果を向上させた状態で、正確に判定することができる。
【図面の簡単な説明】
【００２０】
【図１】本発明の第１実施例を適用したファクシミリ装置の要部ブロック図。
【図２】回線電圧変動検査部の回路図。
【図３】回線電圧検査部の各信号タイミングを示す図。
【図４】ファクシミリ受信制御処理を示すフローチャート。
【図５】第２実施例の回線電圧変動検査部の回路図。
【図６】クロック信号の周波数がリンギング信号に不適切な場合の説明図。
【図７】クロック信号の周波数をリンギング信号の周波数に対応させた場合の回線電圧変動検査部の各信号のタイミング図。
【図８】第３実施例のファクシミリ装置の要部ブロック図。
【図９】電圧変化が小さい場合の回線電圧の変化と検出信号のタイミング図。
【図１０】クロック信号の周波数が検出信号の信号幅に対して大きい場合の説明図。
【図１１】クロック信号周波数調整後の回線電圧変動検査部の各信号タイミング図。
【図１２】第４実施例のファクシミリ装置の要部ブロック図。
【図１３】オフフック検出回路の回路図。
【図１４】オフフック検出を伴うファクシミリ受信制御処理を示すフローチャート。
【図１５】オフフック制御処理を示すフローチャート。
【図１６】従来のファクシミリ装置の要部ブロック図。
【図１７】回線電圧の変化と検出信号のタイミング図。
【図１８】回線ノイズと検出信号のタイミング図。
【図１９】従来のファクシミリ受信制御処理を示すフローチャート。
【発明を実施するための形態】
【００２１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００２２】
図１〜図４は、本発明のファクシミリ受信制御装置、ファクシミリ装置、ファクシミリ受信制御方法及びファクシミリ受信制御プログラムの第１実施例を示す図であり、図１は、本発明のファクシミリ受信制御装置、ファクシミリ装置、ファクシミリ受信制御方法及びファクシミリ受信制御プログラムの第１実施例を適用したファクシミリ装置１の要部ブロック図である。
【００２３】
図１において、ファクシミリ装置１は、ファクシミリ制御部１０とコントロール部２０等を備えているとともに、図示しないが、スキャナ部、プリンタ部、操作表示部等を備えている。そして、ファクシミリ制御部１０及びコントロール部２０は、全体として、ファクシミリ制御部（ファクシミリ受信制御装置）２として機能し、ファクシミリ装置1は、ファクシミリ受信制御部２を備えたものとなっている。
【００２４】
スキャナ部は、例えば、ＣＣＤ（Charge Coupled Device ）、ＣＩＳ（Contact Image Sensor：密着イメージセンサ）またはＣＭＯＳ（Complementary Metal Oxide Semiconductor ）等を用いたスキャナ等が用いられている。スキャナ部は、原稿の表面を主走査及び副走査して該原稿の表面の画像を読み取り、読み取った原稿の画像データを出力する。
【００２５】
プリンタ部は、例えば、サーマル素子を利用したサーマルプリンタ、インク吐出式プリンタ、または、電子写真式プリンタ等が使用されており、プリンタ部は、受信画情報やスキャナ部で読み取られた画情報を用紙に記録出力する。
【００２６】
操作表示部は、操作表示部は、テンキー、スタートキー、ファンクションキー等のファクシミリ装置１の操作に必要な各種操作キーを備えるとともに、ディスプレイ（例えば、液晶ディスプレイ）を備えている。操作表示部は、各種操作キーから入力されるコピー操作、スキャナ操作、ファクシミリ操作等の各種命令をコントロール部２０へ通知し、コントロール部２０からの表示情報を操作表示部のディスプレイに表示させる。
【００２７】
ファクシミリ制御部１０は、電話回線Ｉ／Ｆ１１、ＳｉＤＡＡ１２、トランス１３、モデム１４及びリンギング検出回路１５等を備えている。
【００２８】
コントロール部２０は、ＣＰＵ２１、スイッチ２２、回線電圧変動検査部２３及び図示しないＲＯＭ（Read Only Memory）、ＲＡＭ（Random Access Memory）等を備えている。
【００２９】
電話回線Ｉ／Ｆ１１は、モジュラージャック等が用いられており、ＰＳＴＮ等の公衆回線Ｌｐに接続されているモジュラーケーブルＣａが接続されている。また、電話回線Ｉ／Ｆ１１は、ＳｉＤＡＡ１２及びリンギング検出回路１５に接続されている。
【００３０】
ＳｉＤＡＡ１２は、主に、ＡＤ／ＤＡ変換、オフフック制御及びリンギング検出を行う。
【００３１】
トランス１３は、ＳｉＤＡＡ１２及び電話回線Ｉ／Ｆ１１等を含む１次側回路とモデム１４等を含む２次側回路を架橋しており、モデム１４とＳｉＤＡＡ１２との間における信号のやりとり及び電力供給を行っている。
【００３２】
モデム１４は、コントロール部２０のＣＰＵ２１からデジタル画像情報、各種プロトコル信号を変調して、トランス１３を介してＳｉＤＡＡ１２に渡す。ＳｉＤＡＡ１２は、トランス１３を介して渡されたデジタル画像情報等をアナログ変換した後、電話回線Ｉ／Ｆ１１、モジュラーケーブルＣａを介して公衆回線Ｌｐへ送信する。また、ＳｉＤＡＡ１２は、公衆回線Ｌｐを介して相手ファクシミリ装置から送信されてきて電話回線Ｉ／Ｆ１１が受信した、変調されているアナログ画像情報をデジタル画像情報に変換して、トランス１３を介してモデム１４へ渡す。モデム１４は、渡された変調されたアナログ画像情報を、復調して、ＣＰＵ２１に渡す。
【００３３】
上記ファクシミリ制御部１０は、全体として、電圧変動検出手段としてのリンギング検出回路１５を有するファクシミリ通信手段として機能している。
【００３４】
ＣＰＵ２１は、モデム１４から受け取ったデジタル画像情報に基づいて、図示しないプリンタ部の駆動を制御して、用紙に画像を形成出力する。
【００３５】
ＣＰＵ２１は、省電力モードを備えており、予め設定されている所定時間待ち時間が経過すると、各部への電源電力の供給停止や供給量削減を行う。
【００３６】
コントロール部２０の図示しないＲＯＭは、ファクシミリ装置１としての基本プログラム、本発明のファクシミリ受信制御プログラム等のプログラム及び必要なシステムデータを記憶している。コントロール部２０のＣＰＵ２１は、ＲＯＭ内のプログラムに基づいて、コントロール部２０の図示しないＲＡＭをワークメモリとして利用して、ファクシミリ装置１の各部を制御してファクシミリ装置１としての基本動作を実行するとともに、本発明のファクシミリ受信制御処理を実行する。
【００３７】
すなわち、ファクシミリ装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明のファクシミリ受信制御方法を実行するファクシミリ受信制御プログラムを読み込んでＲＯＭ等に導入することで、後述するリンギングの有無を省電力モードにおいて、省電力効果を向上させた状態で、正確に判定するファクシミリ受信制御方法を実行するファクシミリ受信制御部（ファクシミリ受信制御装置）２を搭載するファクシミリ装置１として構築されている。このファクシミリ受信制御プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３８】
そして、ＣＰＵ２１は、回線電圧変動検査部２３への信号を制御することで、スイッチ２２のオン／オフ（特に、オン）を制御して、電源電力Ｖａを電源電力Ｖｂとしてのモデム１４への供給／供給停止を行う。すなわち、スイッチ２２は、オン／オフ動作して、ファクシミリ装置１の図示しない電源部から供給される電源電力Ｖａの電源電力Ｖｂとしての供給／供給停止を行う。ファクシミリ装置１は、省電力モードでは、ＣＰＵ２１の供給電力が削減された省電力モードとなっており、この省電力モードにおいて、ＣＰＵ２１は、スイッチ２２をオフすることで、モデム１４及びＳｉＤＡＡ１２への電源電力Ｖｂの供給を停止した状態とする。
【００３９】
リンギング検出回路（電圧変動検出手段）１５は、モデム１４及びＳｉＤＡＡ１２への電力供給が停止されている省電力モード時に、電話回線Ｉ／Ｆ１１を介して公衆回線Ｌｐにおける公衆電圧の電圧変動を検出する。リンギング検出回路１５は、該公衆電圧が、予め設定されている設定範囲の電圧から外れると、回線電圧変動検査部２３へ出力している検出信号ＳｒをＨｉｇｈからＬｏｗに切り替える。また、リンギング検出回路１５は、公衆電圧が設定範囲電圧内に戻ると、Ｌｏｗの検出信号Ｓｒを、Ｈｉｇｈに切り替える。
【００４０】
回線電圧変動検査部（判定手段）２３は、図２に示すように、Ｄ型フリップフロップ３１、発振器３２、ＪＫ型フリップフロップ３３、３４等のフリップフロップ回路を備えている。
【００４１】
発振器（クロック信号発生手段）３２は、D型フリップフロップ３１のクロック端子ＣＫに接続されており、予め設定されている所定周波数の矩形波のクロック信号ＣＫを発生して、Ｄ型フリップフロップ３１のクロック端子ＣＫへ出力する。すなわち、発振器３２は、図３に示すような矩形波で所定周波数のクロック信号ＣＫをクロック端子ＣＫへ出力する。この発振器３２の出力するクロック信号ＣＫは、リンギング信号の検出に適した周波数のクロック信号となっている。
【００４２】
Ｄ型フリップフロップ３１は、そのＤ端子にリンギング検出回路１５から検出信号Ｓｒが入力される。Ｄ型フリップフロップ３１は、クロック信号ＣＫの立ち上がりタイミングにおけるＤ端子の検出信号ＳｒがＨｉｇｈとＬｏｗのいずれであるかによって、図３に示すように、そのＱ出力端子からの出力信号Ｓａを、ＨｉｇｈとＬｏｗに切り替える。すなわち、Ｄ型フリップフロップ３１は、そのＱ出力端子から発振器３２からのクロック信号ＣＫによってデジタル値に打ち直された出力信号Ｓａを出力する。
【００４３】
ＪＫ型フリップフロップ３３は、そのＪ端子とＫ端子に、ＣＰＵ２１の制御下で、所定電圧Ｖｃが入力され、そのクロック端子ＣＫに、Ｄ型フリップフロップ３１のＱ出力端子の出力信号Ｓａが入力される。ＪＫ型フリップフロップ３３は、Ｊ端子とＫ端子に所定の電圧Ｖｃ（「１」）が入力されていると、図３に示すように、Ｑ出力端子からＪＫ型フリップフロップ３４のクロック端子ＣＫへの出力信号Ｓｂを、今までの極性と反転させた出力信号Ｓｂとする。
【００４４】
ＪＫ型フリップフロップ３４は、そのＪ端子とＫ端子に、ＣＰＵ２１の制御下で、所定電圧Ｖｃが入力され、そのクロック端子ＣＫに、ＪＫ型フリップフロップ３３のＱ出力端子の出力信号Ｓｂが入力される。ＪＫ型フリップフロップ３４は、Ｊ端子とＫ端子に所定の電圧Ｖｃ（「１」）が入力されていると、図３に示すように、Ｑ出力端子からの出力信号Ｓｂを、今までの極性と反転させた出力信号Ｓｃとして、スイッチ２２及びＣＰＵ２１へ出力する。上記Ｄ型フリップフロップ３１及びＪＫ型フリップフロップ３３、３４は、全体として、論理判定手段として機能している。
【００４５】
スイッチ２２は、電源電力Ｖａと電源電力Ｖｂの間に配設されており、電源電力Ｖａは、ファクシミリ装置１の省電力モードにおいてもファクシミリ装置１の図示しない電源部から供給されている電源電力である。電源電力Ｖｂは、モデム１４の電源電力となっており、省電力モードにおいては、スイッチ２２がオフすることで、モデム１４への供給が遮断される。スイッチ２２は、回線電圧変動検査部２３から出力信号Ｓｃが入力され、出力信号ＳｃがＬｏｗの間は、オフ状態で、出力信号ＳｃがＨｉｇｈの間は、オン状態である。スイッチ２２は、オフ状態であると、電源電力Ｖａの電源電力Ｖｂとしての出力を遮断し、オン状態であると、電源電力Ｖａを電源電力Ｖｂとしてモデム１４に出力する。
【００４６】
ＣＰＵ２１は、ＲＯＭ内のプログラムに基づいて、回線電圧変動検査部２３からＨｉｇｈの出力信号Ｓｃが入力されると、正規のリンギング信号が受信されたと判断して、省電力モードから復帰するとともに、回線電圧変動検査部２３へリセット信号を出力する。回線電圧変動検査部２３は、リセット信号が入力されることで、省電力モードにおいて再度リンギング信号の判定を可能な状態となる。
【００４７】
次に、本実施例の作用を説明する。本実施例のファクシミリ装置１は、省電力モードにおけるリンギングの有無を、省電力効果を向上させた状態で、正確に判定する。
【００４８】
ファクシミリ装置１は、待機状態が所定時間経過すると、主要各部への電源電力の供給を遮断／削減する省電力モードを有しており、この省電力モードにおいては、ＣＰＵ２１が省電力モードに移行するとともに、スイッチ２２がオフ状態となる。ファクシミリ装置１は、省電力モードにスイッチ２２がオフになると、電源電力Ｖａの電源電力Ｖｂとしてのモデム１４への供給を遮断し、トランス１３を介してＳｉＤＡＡ１２への電力供給も遮断されて、消費電力が削減されている。
【００４９】
したがって、ファクシミリ装置１は、省電力モードにおいては、公衆回線Ｌｐからのリンギンについては、電話回線Ｉ／Ｆ１１を介してリンギング検出回路１５が検出する。
【００５０】
このリンギング検出回路１５は、上述のように、公衆回線Ｌｐの公衆電圧が、予め設定されている設定電圧範囲を外れると、回線電圧変動検査部２３へ出力している検出信号ＳｒをＨｉｇｈからＬｏｗに切り替える。また、リンギング検出回路１５は、公衆電圧が該設定電圧範囲内に戻ると、Ｌｏｗの検出信号Ｓｒを、Ｈｉｇｈに切り替える。
【００５１】
このリンギング検出回路１５の検出結果のみで、省電力モードから復帰すると、ノイズ等の影響を受けて正規のリンギング信号でない場合にも復帰することとなり、消費電力が増加する。
【００５２】
そこで、本実施例のファクシミリ装置１は、ＣＰＵ２１及びファクシミリ制御部１０のモデム１４、ＳｉＤＡＡ１２等を復帰させる前に、論理回路で構成されている回線電圧変動検査部２３が公衆回線Ｌｐの電圧変動が正規のリンギング信号であるか否か検査する。
【００５３】
すなわち、回線電圧変動検査部２３は、図３に示したように、Ｄ型フリップフロップ３１が、Ｄ入力端子へのリンギング検出回路１５からの検出信号Ｓｒが、クロック信号ＣＫの立ち上がりのタイミングで、Ｌｏｗになると、次段のＪＫフリップフロップ３３への出力信号ＳａをＬｏｗにする。また、Ｄ型フリップフロップ３１は、その後、クロック信号ＣＫの立ち上がりのタイミングで、検出信号ＳｒがＨｉｇｈになると、次段のＪＫフリップフロップ３３への出力信号ＳａをＨｉｇｈにする。さらに、ＪＫ型フリップフロップ３３は、クロック端子ＣＫへの入力信号ＳａがＬｏｗからＨｉｇｈに切り替わると、次段のＪＫ型フリップフロップ３４への出力信号Ｓｂを、ＬｏｗからＨｉｇｈに切り替える。次段のＪＫ型フリップフロップ３４は、出力信号Ｓｂを遅延させた状態の出力信号Ｓｃを、スイッチ２２及びＣＰＵ２１へ出力する。
【００５４】
そして、ＣＰＵ２１は、図４に示すように、省電力モードにおいて、回線電圧変動検査部２３からの出力信号Ｓｃの状態を判定する（ステップＳ１０１）。ＣＰＵ２１は、出力信号ＳｃがＨｉｇｈになると（ステップＳ１０１で、ＹＥＳのとき）、ＪＫ型フリップフロップ３３、３４のＫ端子への信号を一定時間Ｌｏｗにして、リセットする（ステップＳ１０２）。また、スイッチ２２は、回線電圧変動検査部２３の出力信号ＳｃがＨｉｇｈになることで、オフからオンに切り替わり（ステップＳ１０３）、電源電力Ｖａを電源電力Ｖｂとしてモデム１４へ供給する（ステップＳ１０４）。モデム１４は、電源電力Ｖｂが供給されると、オンして、ファクシミリ制御部１０が電源供給状態となって、通常のファクシミリ受信処理を開始する（ステップＳ１０５）。
【００５５】
このように、本実施例のファクシミリ装置１は、公衆回線（回線）Ｌｐからのリンギングを検出して、ファクシミリ通信を行うファクシミリ制御部（ファクシミリ通信手段）１０と、前記ファクシミリ制御部１０への電源電力の供給と供給遮断を行うスイッチ（電力制御手段）２２と、前記スイッチ２２によって前記ファクシミリ制御部１０への電源電力Ｖｂの供給が遮断されているときに、前記公衆回線Ｌｐの電圧変動に応じて論理が変化する検出信号Ｓｒを出力するリンギング検出回路（電圧変動検出手段）１５と、前記検出信号Ｓｒの論理変化に基づいて前記公衆回線Ｌｐの電圧変動がリンギング信号であるか否かを判定し、リンギング信号であると判定すると、前記スイッチ２２に前記ファクシミリ制御部１０への電源電力Ｖｂの供給を再開させる回線電圧変動検査部（判定手段）２３と、を備えている。
【００５６】
したがって、ファクシミリ制御部１０への電力供給を行うことなく、リンギング信号を回線電圧の変動に基づく論理変化を利用して検出することができ、省電力モードにおけるリンギングの有無を、省電力効果を向上させた状態で、正確に判定することができる。
【００５７】
また、本実施例のファクシミリ装置１は、公衆回線Ｌｐからのリンギングを検出して、ファクシミリ通信を行うファクシミリ通信処理ステップと、前記ファクシミリ通信処理ステップへの電源電力Ｖｂの供給と供給遮断を行う電力制御処理ステップと、前記電力制御処理ステップによって前記ファクシミリ通信処理ステップへの電源電力Ｖｂの供給が遮断されているときに、前記公衆回線Ｌｐの電圧変動に応じて論理が変化する検出信号Ｓｒを出力する電圧変動検出処理ステップと、前記検出信号Ｓｒの論理変化に基づいて前記公衆回線Ｌｐの電圧変動がリンギング信号であるか否かを判定し、リンギング信号であると判定すると、前記電力制御処理ステップに前記ファクシミリ通信処理ステップへの電源電力Ｖｂの供給を再開させる判定処理ステップと、を有しているファクシミリ受信制御方法を実行している。
【００５８】
したがって、ファクシミリ制御部１０への電力供給を行うことなく、リンギング信号を回線電圧の変動に基づく論理変化を利用して検出することができ、省電力モードにおけるリンギングの有無を、省電力効果を向上させた状態で、正確に判定することができる。
【００５９】
さらに、本実施例のファクシミリ装置１は、ＣＰＵ２１等の制御プロセッサに、公衆回線Ｌｐからのリンギングを検出して、ファクシミリ通信を行うファクシミリ通信処理と、前記ファクシミリ通信処理への電源電力Ｖｂの供給と供給遮断を行う電力制御処理と、前記電力制御処理によって前記ファクシミリ通信処理への電源電力Ｖｂの供給が遮断されているときに、前記公衆回線Ｌｐの電圧変動に応じて論理が変化する検出信号Ｓｒを出力する電圧変動検出処理と、前記検出信号Ｓｒの論理変化に基づいて前記公衆回線Ｌｐの電圧変動がリンギング信号であるか否かを判定し、リンギング信号であると判定すると、前記電力制御処理に前記ファクシミリ通信処理への電源電力Ｓｂの供給を再開させる判定処理と、を実行させるファクシミリ受信制御プログラムを搭載している。
【００６０】
したがって、ファクシミリ制御部１０への電力供給を行うことなく、リンギング信号を回線電圧の変動に基づく論理変化を利用して検出することができ、省電力モードにおけるリンギングの有無を、省電力効果を向上させた状態で、正確に判定することができる。
【００６１】
また、本実施例のファクシミリ装置１は、前記判定手段である回線電圧変動検査部２３が、クロック信号ＣＫを発生する発振器（クロック信号発生手段）３２と、前記クロック信号ＣＫに基づいて前記検出信号Ｓｒの論理状態（Ｈｉｇｈ、Ｌｏｗ）を検出して、前記公衆回線Ｌｐの電圧変動がリンギング信号であるか否かを判定し、前記スイッチ２２の動作を制御する論理判定手段としてのＤ型フリップフロップ３１、ＪＫ型フリップフロップ３３、３４と、を備えている。
【００６２】
したがって、簡単な回路構成で、論理変化を利用して、リンギング信号を正確に検出することができ、省電力モードにおけるリンギングの有無を、省電力効果を向上させた状態で、正確にかつ安価に判定することができる。
【００６３】
さらに、本実施例のファクシミリ装置１は、前記論理判定手段が、前記クロック信号ＣＫの立ち上がりで前記検出信号Ｓｒの論理状態を検出して、前記公衆回線Ｌｐの電圧変動がリンギング信号であるか否かを判定するフリップフロップ回路であるＤ型フリップフロップ３１、ＪＫ型フリップフロップ３３、３４を備えている。
【００６４】
したがって、簡単な回路構成で、論理変化を利用して、リンギング信号を正確に検出することができ、省電力モードにおけるリンギングの有無を、省電力効果を向上させた状態で、正確にかつ安価に判定することができる。
【実施例２】
【００６５】
図５〜図７は、本発明のファクシミリ受信制御装置、ファクシミリ装置、ファクシミリ受信制御方法及びファクシミリ受信制御プログラムの第２実施例を示す図であり、図５は、本発明のファクシミリ受信制御装置、ファクシミリ装置、ファクシミリ受信制御方法及びファクシミリ受信制御プログラムの第２実施例を適用したファクシミリ装置の回路電圧変動検査部の回路図である。
【００６６】
なお、本実施例は、上記第１実施例のファクシミリ装置１と同様のファクシミリ装置に適用したものであり、本実施例の説明において、第１実施例と同様の構成部分には、同一の符号を付して、その説明を簡略化または省略する。さらに、本実施例の説明において、図示しない部分についても、必要に応じて、第１実施例の説明で用いた符号をそのまま用いて説明する。
【００６７】
図５において、回線電圧変動検査部４０は、ファクシミリ装置１のコントロール部２０に配設されている。回線電圧変動検査部４０は、ＶＣＯ（ Voltage Controlled Oscillator：電圧制御発振器）４１を備えているとともに、上記Ｄ型フリップフロップ３１、ＪＫ型フリップフロップ３３、３４等を備えている。
【００６８】
ＶＣＯ（クロック信号発生手段）４１は、ＣＰＵ（周波数設定手段）２１から制御信号（制御電圧）が入力され、制御信号に応じた周波数のクロック信号ＣＫをＤ型フリップフロップ３１のクロック端子ＣＫへ出力する。このＶＣＯ４１への制御信号は、ファクシミリ装置１の出荷時等において、ファクシミリ装置１の設置国や地域等のリンギング信号の周期に応じて、予め設定されている。
【００６９】
Ｄ型フリップフロップ３１は、第１実施例と同様であり、クロック信号ＣＫの立ち上がりタイミングにおけるＤ端子の検出信号ＳｒがＨｉｇｈとＬｏｗのいずれであるかによって、そのＱ出力端子からの出力信号Ｓａを、ＨｉｇｈとＬｏｗに切り替える。
【００７０】
ＪＫ型フリップフロップ３３及びＪＫ型フリップフロップ３４は、上記同様に、分周回路として機能して、Ｄ型フリップフロップ３１の出力信号Ｓａを遅延させた状態の出力信号Ｓｂ、Ｓｃを出力して、出力信号Ｓｃをスイッチ２２及びＣＰＵ２１へ出力する。
【００７１】
次に、本実施例の作用を説明する。本実施例のファクシミリ装置１は、ＣＰＵ２１からＶＣＯ４１への制御信号を調整することで、Ｄ型フリップフロップ３１のクロック信号ＣＫの周波数を変更する。
【００７２】
すなわち、ファクシミリ装置１の設置される国、地域等によってリンギング信号の周波数が異なっていることがあり、このような場合に、設置環境のリンギング信号の周波数に合わせて、クロック信号ＣＫの周波数を、該リンギング信号を適切に検出可能な周波数に設定する。
【００７３】
例えば、図６に示すように、クロック信号ＣＫの周波数が、公衆回線Ｌｐの公衆電圧の変化周期であるリンギング検出回路１５からの検出信号Ｓｒの周期に対して低いと、適切にリンギングを検出することができない事態が発生する。図６は、北米等のリンギング信号の周波数が高い国、地域等にファクシミリ装置１が設置された場合が示されている。この場合、クロック信号ＣＫの全ての立ち上がりタイミングおいて、検出信号ＳｒがＨｉｇｈの状態であり、その結果、Ｄ型フリップフロップ３１の出力信号Ｓａ及びＪＫ型フリップフロップ３３、３４の出力信号Ｓｂ、ＳｃがＬｏｗのままとなる。その結果、リンギング信号を検出することができないこととなる。
【００７４】
そこで、本実施例のファクシミリ装置１は、ＣＰＵ２１がＶＣＯ４１への制御信号を制御して、ＶＣＯ４１がＤ型フリップフロップ３１へのクロック信号ＣＫの周波数を、ファクシミリ装置１の設置環境のリンギング信号の周波数に適した周波数に調整する。
【００７５】
すなわち、例えば、図６のようにリンギング信号の周波数が高い場合には、ＣＰＵ２１は、制御信号を調整して、ＶＣＯ４１の出力するクロック信号ＣＫの周波数を、図７に示すように、リンギング信号の周波数に合わせて高くする。このように、リンギング信号の周波数に合わせてクロック信号ＣＫの周波数を高くすると、図７に示すように、クロック信号ＣＫの立ち上がりタイミングで、リンギング検出回路１５からの検出信号ＳｒがＬｏｗの状態となって、回線電圧変動検査部４０は、リンギング信号を検出することができる。
【００７６】
このように、本実施例のファクシミリ装置１は、発信周波数を指定する制御信号（周波数指定信号）を出力するＣＰＵ（周波数設定手段）２１を、さらに備え、前記発振手段としてのＶＣＯ４１が、前記制御信号に応じた発振周波数の前記クロック信号ＣＫを発生する。
【００７７】
したがって、国、地域等によって周波数の異なるリンギング信号を、省電力モードにおいても、省電力効果を向上させた状態で、正確に検出することができる。
【実施例３】
【００７８】
図８〜図１１は、本発明のファクシミリ受信制御装置、ファクシミリ装置、ファクシミリ受信制御方法及びファクシミリ受信制御プログラムの第３実施例を示す図であり、図８は、本発明のファクシミリ受信制御装置、ファクシミリ装置、ファクシミリ受信制御方法及びファクシミリ受信制御プログラムの第３実施例を適用したファクシミリ装置５０の要部ブロック図である。
【００７９】
なお、本実施例は、上記第１実施例のファクシミリ装置１及び第２実施例のファクシミリ装置と同様のファクシミリ装置５０に適用したものであり、本実施例の説明において、第１実施例及び第２実施例と同様の構成部分には、同一の符号を付して、その説明を簡略化または省略する。
【００８０】
図８において、ファクシミリ装置５０は、ファクシミリ制御部１０とコントロール部２０及びＯＰＵ（Opelation Unit）５１等を備えているとともに、図示しないが、スキャナ部、プリンタ部、操作表示部等を備えている。ファクシミリ制御部１０、コントロール部２０及びＯＰＵ５１は、全体として、ファクシミリ制御部（ファクシミリ受信制御装置）５２として機能している。
【００８１】
ファクシミリ制御部１０は、第１実施例と同様の電話回線Ｉ／Ｆ１１、ＳｉＤＡＡ１２、トランス１３、モデム１４及びリンギング検出回路１５等を備えている。コントロール部２０は、第２実施例と同様のＣＰＵ２１、スイッチ２２、回線電圧変動検査部４０及び図示しないＲＯＭ（Read Only Memory）、ＲＡＭ（Random Access Memory）等を備えている。
【００８２】
ＯＰＵ（操作手段）５１は、テンキーやスタートキー等の各種操作キーを備えるとともに、ディスプレイ（例えば、液晶ディスプレイ）を備えている。ＯＰＵ５１は、操作キーから、送信操作等のファクシミリ装置５０の各種動作を指示する各種命令が入力され、ディスプレイに、操作キーから入力された命令内容やファクシミリ装置１からオペレータに通知する各種情報を表示する。ＯＰＵ５１は、特に、後述するファクシミリ受信制御処理におけるクロックＣＫの周波数設定操作を行うのに使用される。
【００８３】
ＣＰＵ（周波数設定手段）２１は、ＯＰＵ５１からクロック周波数設定操作が行われると、該設定内容に応じて、回線電圧変動検査部４０のＶＣＯ４１への制御信号（制御電圧）を調整する。
【００８４】
次に、本実施例の作用を説明する。本実施例のファクシミリ装置５０は、ユーザがファクシミリ装置５０の設置環境に応じて、回線電圧変動検査部４０のクロック周波数を調整する。
【００８５】
すなわち、ファクシミリ装置５０は、省電力モードにおいて、リンギング検出回路１５が、上述のように、公衆回線Ｌｐの公衆電圧を予め設定されている設定電圧と比較して、公衆電圧が設定電圧範囲から外れると、検出信号ＳｒをＨｉｇｈからＬｏｗに切り替える。そして、回線電圧変動検査部４０は、リンギング検出回路１５からの検出信号Ｓｒの変化をクロック信号ＣＫに基づいて正規のリンギング信号であるか否かの検査を行う。
【００８６】
ところが、リンギング信号は、国、地域等によって周波数が異なるだけでなく、電話局との距離等によって電圧値が変化する。
【００８７】
例えば、図９に示すように、ファクシミリ装置５０の設置環境が電話局から遠く、回線電圧の変化が小さい場合には、リンギング検出回路１５の検出信号Ｓｒは、回線電圧が設定電圧範囲を外れている期間が短いため、Ｌｏｗとなる期間が短くなる。
【００８８】
その結果、回線電圧変動検査部４０は、図１０に示すように、クロック信号ＣＫの周波数が、リンギング検出回路１５の出力する検出信号ＳｒのＬｏｗの信号幅に対して、大きいと、適切にリンギングを検出することができない事態が発生する。この場合、クロック信号ＣＫの全ての立ち上がりタイミングおいて、検出信号ＳｒがＨｉｇｈの状態であり、その結果、Ｄ型フリップフロップ３１の出力信号Ｓａ及びＪＫ型フリップフロップ３３、３４の出力信号Ｓｂ、ＳｃがＬｏｗのままとなる。その結果、リンギング信号を検出することができないこととなる。
【００８９】
そこで、本実施例のファクシミリ装置５０は、ユーザがＯＰＵ５１を操作して、回線電圧変動検査部４０のＶＣＯ４１へＣＰＵ２１が出力する制御信号を調整して、ＶＣＯ４１がＤ型フリップフロップ３１へ出力するクロック信号ＣＫの周波数を調整する。例えば、図１０の場合、ＯＰＵ５１でクロック信号ＣＫの周波数が小さくなるようにユーザが設定操作し、ＣＰＵ２１が該設定値に応じた制御信号をＶＣＯ４１へ出力させる。
【００９０】
すなわち、図１１に示すように、ＶＣＯ４１への制御信号を、クロック信号ＣＫの周波数が小さくなるように調整すると、Ｌｏｗの幅の短い検出信号ＳｒのＬｏｗ状態を、クロック信号ＣＫの立ち上がりタイミングにおいて、適切に検出することができる。
【００９１】
このように、本実施例のファクシミリ装置５０は、前記周波数を設定操作するＯＰＵ（操作手段）５１を、さらに備え、前記周波数設定手段としてのＣＰＵ２１が、前記ＯＰＵ５１で設定操作された前記周波数を発振周波数として指定する制御信号（周波数指定信号）を回線電圧変動検査部４０のＶＣＯ４１へ出力する。
【００９２】
したがって、ファクシミリ装置４０の設置環境に応じた周波数のクロック信号ＣＫに基づいて、正規のリンギング信号であるか否かを判定することができ、省電力モードにおいても、省電力効果を向上させた状態で、より一層正確に検出することができる。
【実施例４】
【００９３】
図１２〜図１５は、本発明のファクシミリ受信制御装置、ファクシミリ装置、ファクシミリ受信制御方法及びファクシミリ受信制御プログラムの第４実施例を示す図であり、図１２は、本発明のファクシミリ受信制御装置、ファクシミリ装置、ファクシミリ受信制御方法及びファクシミリ受信制御プログラムの第４実施例を適用したファクシミリ装置６０の要部ブロック図である。
【００９４】
なお、本実施例は、上記第１実施例のファクシミリ装置１と同様のファクシミリ装置６０に適用したものであり、本実施例の説明において、第１実施例と同様の構成部分には、同一の符号を付して、その説明を簡略化または省略する。
【００９５】
図１２において、ファクシミリ装置６０は、ファクシミリ制御部７０とコントロール部２０等を備えているとともに、図示しないが、スキャナ部、プリンタ部、操作表示部等を備えている。そして、ファクシミリ制御部７０及びコントロール部２０は、全体として、ファクシミリ受信制御部（ファクシミリ受信制御装置）６１として機能している。
【００９６】
ファクシミリ制御部７０は、上記同様の電話回線Ｉ／Ｆ１１、ＳｉＤＡＡ１２、トランス１３、モデム１４及びリンギング検出回路１５を備えているとともに、オフフック検出回路７１及び外部電話Ｉ／Ｆ７２等を備えている。
【００９７】
外部電話Ｉ／Ｆ７２は、モジュラージャック等で構成され、外部電話機が接続される。
【００９８】
オフフック検出回路（オフフック検出手段）７１は、例えば、図１３に示すように回路構成されており、双方向フォトカプラＰＣ、抵抗Ｒ１、Ｒ２、Ｒ３等を備えている。オフフック検出回路７１は、外部電話Ｉ／Ｆ７２への出力端子ＴＮ１、電話回線Ｉ／Ｆ１１からの入力端子ＴＮ２、リンギング検出回路１５への出力端子ＴＮ３及びＣＰＵ２１への出力端子ＴＮ４を備えている。
【００９９】
オフフック検出回路７１は、外部電話Ｉ／Ｆ７２への出力端子ＴＮ１を介して、外部電話Ｉ／Ｆ７２に接続されている外部電話機がオンフックのときには、フォトカプラＰＣがオフしており、抵抗Ｒ３を介して電源電圧Ｖｃｃによって、出力端子ＴＮ４の電圧がＨｉｇｈになる。また、オフフック検出回路７１は、外部電話機がオフフックされると、フォトカプラＰＣがオンして、ＣＰＵ２１への出力端子ＴＮ４の電圧が、ＨｉｇｈからＬｏｗに切り替わる。
【０１００】
ＣＰＵ２１は、このオフフック検出回路７１の出力端子ＴＮからの電圧に基づいて、電力制御手段としてのスイッチ２２のオン／オフを制御する。したがって、ＣＰＵ２１は、オフフック制御手段として機能している。
【０１０１】
次に、本実施例の作用を説明する。本実施例のファクシミリ装置６０は、外部電話のオフフックを検出すると、モデム１４側への電源供給を停止することで、消費電力の低減を行う。
【０１０２】
すなわち、ファクシミリ装置６０は、省電力モードにおいて、図１４に示すように、ＣＰＵ２１が、回線電圧変動検査部２３からの出力信号Ｓｃの状態を判定する（ステップＳ２０１）。ＣＰＵ２１は、出力信号ＳｃがＨｉｇｈになると（ステップＳ２０１で、ＹＥＳのとき）、ＪＫ型フリップフロップ３３、３４のＫ端子への信号を一定時間Ｌｏｗにして、リセットする（ステップＳ２０２）。また、スイッチ２２は、回線電圧変動検査部２３の出力信号ＳｃがＨｉｇｈになることで、オフからオンに切り替わり（ステップＳ２０３）、電源電力Ｖａを電源電力Ｖｂとしてモデム１４へ供給する（ステップＳ２０４）。モデム１４は、電源電力Ｖｂが供給されると、オンして、ファクシミリ制御部１０が電源供給状態となって、通常のプログラム受信処理を開始する（ステップＳ２０５）。
【０１０３】
そして、ファクシミリ装置６０は、通常電力モードにおいて、図１５に示すように、ＣＰＵ２１が、オフフック制御処理を行う。すなわち、ＣＰＵ２１は、オフフック検出回路７１の出力端子ＴＮ４の出力電圧がＨｉｇｈからＬｏｗに切り替わったかを検出することで、外部電話機がオフフックされたかチェックする（ステップＳ３０１）。
【０１０４】
ステップＳ３０１で、オフフックでないとき（ステップＳ３０１で、ＮＯのとき）、ＣＰＵ２１は、待機状態等の通常電力モードを継続して、所定タイミング毎に、オフフック検出を行う（ステップＳ３０１）。
【０１０５】
ステップＳ３０１で、オフフックであると（ステップＳ３０１で、ＹＥＳのとき）、ＣＰＵ２１は、スイッチ２２をオフし、モデム１４及びＳｉＤＡＡ１２への電源電力Ｖｂの供給を遮断し（ステップＳ３０２）、図１３の省電力モードへ移行する。
【０１０６】
このように、本実施例のファクシミリ装置６０は、前記公衆回線Ｌｐに、前記ファクシミリ制御部（ファクシミリ通信手段）７０に対して並列に接続されている電話機のオフフックの有無を検出するオフフック検出回路（オフフック検出手段）７１と、前記電力制御手段としてのスイッチ２２によって前記ファクシミリ制御部７０への電源電力Ｖｂが供給されている状態で、前記オフフック検出回路７１が前記オフフックを検出すると、該スイッチ２２に該ファクシミリ制御部７０への該電源電力Ｖｂの供給を遮断させるＣＰＵ（オフフック制御手段）２１と、を備えている。
【０１０７】
したがって、外部電話機がオフフックされたときに、使用されないファクシミリ制御部７０への電源電力Ｖｂの供給を停止することができ、消費電力を削減することができる。
【０１０８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１０９】
１  ファクシミリ装置
２  ファクシミリ制御部
１０  ファクシミリ制御部
１１  電話回線Ｉ／Ｆ
１２  ＳｉＤＡＡ
１３  トランス
１４  モデム
１５  リンギング検出回路
２０  コントロール部
２１  ＣＰＵ
２２  スイッチ
２３  回線電圧変動検査部
Ｃａ  モジュラーケーブル
Ｌｐ  公衆回線
Ｖａ  電源電力
Ｖｂ  電源電力
３１  Ｄ型フリップフロップ
３２  発振器
３３、３４  ＪＫ型フリップフロップ
ＣＫ  クロック端子
Ｓａ、Ｓｂ、Ｓｃ  出力信号
４０  回線電圧変動検査部
４１  ＶＣＯ
５０  ファクシミリ装置
５１  ＯＰＵ
６０  ファクシミリ装置
６１  ファクシミリ制御部
７０  ファクシミリ制御部
７１  オフフック検出回路
７２  外部電話Ｉ／Ｆ
ＰＣ  双方向フォトカプラ
Ｒ１、Ｒ２、Ｒ３  抵抗
ＴＮ１、ＴＮ２、ＴＮ３、ＴＮ４  出力端子
【先行技術文献】
【特許文献】
【０１１０】
【特許文献１】特開２０１２−１９５９３５号公報
【図１】
2015119379.tif 000003
【図２】
2015119379.tif 000004
【図３】
2015119379.tif 000005
【図４】
2015119379.tif 000006
【図５】
2015119379.tif 000007
【図６】
2015119379.tif 000008
【図７】
2015119379.tif 000009
【図８】
2015119379.tif 000010
【図９】
2015119379.tif 000011
【図１０】
2015119379.tif 000012
【図１１】
2015119379.tif 000013
【図１２】
2015119379.tif 000014
【図１３】
2015119379.tif 000015
【図１４】
2015119379.tif 000016
【図１５】
2015119379.tif 000017
【図１６】
2015119379.tif 000018
【図１７】
2015119379.tif 000019
【図１８】
2015119379.tif 000020
【図１９】
2015119379.tif 000021